(57)【特許請求の範囲】
【請求項１】
屋外建造物の外周に被嵌できる線条体支持部材の複数個と該線条体支持部材に張り巡らせた線条体とから成り、
前記線条体が、網状又は綾状に構成されたものであり、
前記線条体支持部材を前記屋外建造物から離間した状態で保持するための間隔保持材を備えることを特徴とする雪害防止部材。
【請求項２】
線条体支持部材が、線条体を支持できる上側リングと、線条体を支持できる下側リングと、該上側リングと下側リングとの間を固定する縦支柱とから成ることを特徴とする請求項１記載の雪害防止部材。
【請求項３】
線条体支持部材が、ロープ取付金具付上部側リング状金具とロープ取付金具付下部側リング状金具とから成ることを特徴とする請求項１記載の雪害防止部材。
【請求項４】
線条体が、金属線条体、プラスチック線条体、ゴム線条体、繊維線条体の中から選ばれた１種であることを特徴とする請求項１記載の雪害防止部材。
【請求項５】
金属線条体が、アルミ被鋼線であることを特徴とする請求項４記載の雪害防止部材。
【請求項６】
プラスチック線条体が、ポリエチレン線条体、ポリプロピレン線条体、ふっ素樹脂線条体の中から選ばれた１種の非接着性プラスチック線条体であることを特徴とする請求項４記載の雪害防止部材。
【請求項７】
線条体が、１５ｃｍ四方の網状又は綾状に構成されたものであることを特徴とする請求項１乃至６に記載の雪害防止部材。
【発明の詳細な説明】
【０００１】
【発明の属する技術分野】
本発明は雪害防止部材に関するものである。
【０００２】
【従来の技術】
屋外建造物、例えば通信アンテナ用鉄塔等に大量の雪が降り積もり、且つそれらの雪が大きな塊に成長したときには、その大きな雪の塊が地上へ落下する懸念が発生する。
【０００３】
万が一このような大きな雪の塊が地上へ落下したときには人身事故を引き起こしたり、他の建造物や車両等を損傷することになる。
【０００４】
そこで、雪国等に建造する鉄塔等の屋外建造物では、その屋外建造物の外表面上に高撥水性塗料、例えばシリコーン樹脂塗料やふっ素樹脂塗料等を塗布することにより、高撥水性塗膜層を設ける方法が採られている。
【０００５】
この鉄塔等の屋外建造物の外表面上に設けた高撥水性塗膜層は、降った雪が大きな塊に成長する前に滑り落とすことができる。それによって外表面上に高撥水性塗膜層を設けた屋外建造物ではその外表面上に大きな雪の塊の成長を阻止でき、その結果屋外建造物の上から大きな雪の塊の落下によって引き起こされる人身事故や他の建造物の損傷を防止することができる。
【０００６】
【発明が解決しようとする課題】
上記のように、従来の技術では屋外建造物の外表面上に高撥水性塗料、例えばシリコーン樹脂塗料やふっ素樹脂塗料等を塗布することになる。
【０００７】
しかし、これら高撥水性塗料、例えばシリコーン樹脂塗料やふっ素樹脂塗料等は本質的に高価な塗料であり、しかもその高撥水性塗料を塗装して得られる塗膜は耐候性が乏しいという難点がある。
【０００８】
このように耐候性が乏しい塗膜は２〜３年で劣化してしまうことから、屋外建造物の外表面上への高撥水性塗料の塗装は２〜３年毎に行う必要がある。
【０００９】
このような訳で、従来技術の屋外建造物の外表面上への高撥水性塗料の塗装方式はコストが掛かり、且つメンテナンス作業がかかるという難点があった。
【００１０】
本発明はかかる点に立って為されたものであって、その目的とするところは前記した従来技術の欠点を解消し、低コストで製造でき、且つ優れた耐候性によりメンテナンスフリー作業性が優れた雪害防止部材を提供することにある。
【００１１】
【課題を解決するための手段】
本発明の要旨とするところは、屋外建造物の外周に被嵌できる線条体支持部材の複数個と該線条体支持部材に張り巡らせた線条体とから成り、前記線条体が、網状又は綾状に構成されたものであり、前記線条体支持部材を前記屋外建造物から離間した状態で保持するための間隔保持材を備えることを特徴とする雪害防止部材にある。
【００１２】
本発明において線条体支持部材としては線条体を支持できる上側リングと線条体を支持できる下側リングと該上側リングと下側リングとの間を固定する縦支柱とから成る円筒状線条体支持部材とするか、若しくはロープ取付金具付上部側リング状金具とロープ取付金具付下部側リング状金具とから成るロープ貼り付け体であることが好ましい。
【００１３】
本発明において線条体としては金属線条体、プラスチック線条体、ゴム線条体、繊維線条体の中から選ばれた１種であることが好ましい。
【００１４】
ここにおいて金属線条体としては強度、耐候性等の点からアルミ被鋼線であることが好ましい。
【００１５】
また、本発明においてプラスチック線条体としてはポリエチレン線条体、ポリプロピレン線条体、ふっ素樹脂線条体の中から選ばれた１種の非接着性プラスチック線条体であることが好ましい。
【００１６】
更に、本発明において線条体としては１５ｃｍ四方の網状又は綾状に構成されたものであることが好ましい。
【００１７】
【発明の実施の形態】
次に、本発明の雪害防止部材の実施例を図面により説明する。
【００１８】
（第１実施例）
図１は本発明の雪害防止部材の第１実施例を示した斜視図である。
【００１９】
図１において１０は本発明の第１実施例の雪害防止部材、１１は上側リング、１２は下側リング、１３、１４は縦支柱、１５はアルミ被鋼線により１５cm四方に編んで成る金網、１６は縦方向連結金具である。
【００２０】
即ち、本発明の第１実施例の雪害防止部材１０は、まず所定間隔を空けた上側リング１１と下側リング１２との間に２本の縦支柱１３、１４を建てて成る円筒状支持枠体を作成し、次にその作成した円筒状支持枠体の外周に金網１５を張り付け、更に上側リング１１の上部側には円周方向に所定間隔をおいて４個の縦方向連結金具１６を取り付けて成るものである。
【００２１】
ここにおいて上側リング１１及び下側リング１２の外径はそれぞれφ２．５ｍである。また、縦支柱１３、１４の高さは１．５ｍである。更に、金網１５はアルミ被鋼線により１５cm四方に編んで成るものである。
【００２２】
この本発明の第１実施例の雪害防止部材は二つ割りにはできない構造となっているが、他の実施例では二つ割り構造とすることもできる。二つ割り構造の雪害防止フェンスとするときには、上側リング１１と下側リング１２とを縦支柱１３、１４のところで二つ割りできるようにするのが望ましい。
【００２３】
このように二つ割り構造とした雪害防止部材は通信アンテナ用鉄塔等に施工するときの取り付け・取り外し性が良好である。
【００２４】
図２は通信アンテナ用鉄塔の外周に本発明の第１実施例の雪害防止部材の複数個を施工したときの様子を示した正面説明図である。
【００２５】
また、図３は図２の横断面説明図である。
【００２６】
図２及び図３において１０は本発明の第１実施例の雪害防止部材、１６は縦方向連結金具、２０は施工地面、２１は鉄塔基礎台、２２は通信アンテナ用鉄塔、２３は上部押さえ枠体、２４は間隔保持材である。
【００２７】
即ち、図２の屋外建造物は、まず屋外の施工地面２０上に鉄塔基礎台２１を施工し、次にその鉄塔基礎台２１上に通信アンテナ用鉄塔２２を立設し、次にその立設した通信アンテナ用鉄塔２２の外周に本発明の第１実施例の雪害防止部材の複数個を被嵌し、それらの間を縦方向連結金具１６でそれぞれ固定し、更に最上部に上部押さえ枠体２３を被嵌して成るものである。
【００２８】
また、図２から分かるように通信アンテナ用鉄塔２２の外周面と雪害防止部材１０の内周面との間には内周方向に所定間隔をおいて４本の間隔保持材２４が設置されている。これら４本の間隔保持材２４は通信アンテナ用鉄塔２２の外周面に突起状に固定するか、雪害防止部材１０の内周面に固定するか、若しくはこれらの両方にそれぞれ固定してもよい。そしてこれら４本の間隔保持材２４により通信アンテナ用鉄塔２２の外周面と雪害防止フェンス１０の内周面との間が一定間隔に保たれている。
【００２９】
このように通信アンテナ用鉄塔の外周に本発明の第１実施例の雪害防止部材１０の複数個を施工した屋外建造物へ雪が降ったときには、その降った雪は雪害防止部材１０の金網１５のために大きな雪塊になる前に地上へ落下することになる。ここにおいて雪害防止部材１０の金網１５の内部に入った雪は金網１５以上の大きさの雪塊に成長することがない。
【００３０】
従って通信アンテナ用鉄塔の外周に本発明の第１実施例の雪害防止部材１０の複数個を施工した屋外建造物へ雪が降っても大きな雪塊落下にる人身事故や他の建造物の損傷を効果的に防止することがてきる。
【００３１】
（第２実施例）
図４は通信アンテナ用鉄塔の外周に本発明の第２実施例の雪害防止部材を施工したときの様子を示した正面説明図である。
【００３２】
図４において２２は通信アンテナ用鉄塔、２３は上部押さえ枠体、３０は本発明の第２実施例の雪害防止部材、３１は上部側リング状金具、３２は下部側リング状金具、３３はロープ取付金具、３４はロープである。
【００３３】
即ち、本発明の第２実施例の雪害防止部材は複数個のロープ取付金具３３が外周方向に沿って設置されている上部側リング状金具３１と、同じく複数個のロープ取付金具３３が外周方向に沿って設置されている下部側リング状金具３２と、これら上部側リング状金具３１の複数個のロープ取付金具３３と下部側リング状金具３２の複数個のロープ取付金具３３との間に綾状に張り巡らせたロープ３４とから成っている。
【００３４】
ここにおいてロープ３４の張り具合は緩めに張ってある。このように緩めに張ったロープ３４は風により頻繁に振動することができる。そして頻繁に振動するロープ３４に降った雪は大きな塊になる前に振り落とされる。従って本発明の第２実施例の雪害防止部材の外周には大きな雪の塊が発生しない。
【００３５】
【発明の効果】
本発明の雪害防止部材は低コストで製造でき、且つ優れた耐候性によりメンテナンスフリー性が優れ、しかも屋外建造物へ施工したときにはその屋外建造物周辺に雪が降っても大きな雪塊の発生及びその大きな雪塊の落下がなくなり、それによって大きな雪塊落下による人身事故やその屋外建造物周辺にある他の建造物や車両等の損傷を効果的に防止できるものであり、工業上有用である。
【図面の簡単な説明】
【図１】本発明の雪害防止部材の第１実施例を示した斜視図である。
【図２】通信アンテナ用鉄塔の外周に本発明の第１実施例の雪害防止部材の複数個を施工したときの様子を示した正面説明図である。
【図３】本発明の図２の横断面説明図である。
【図４】通信アンテナ用鉄塔の外周に本発明の第２実施例の雪害防止部材を施工したときの様子を示した正面説明図である。
【符号の説明】
１０  本発明の第１実施例の雪害防止部材
１１  上側リング
１２  下側リング
１３、１４  縦支柱
１５  金網
１６  縦方向連結金具
２０  施工地面
２１  鉄塔基礎台
２２  通信アンテナ用鉄塔
２３  上部押さえ枠体
２４  間隔保持材
３０  本発明の第２実施例の雪害防止部材
３１  上部側リング状金具
３２  下部側リング状金具
３３  ロープ取付金具
３４  ロープ
【図１】
0003826695.tif 000002
【図２】
0003826695.tif 000003
【図３】
0003826695.tif 000004
【図４】
0003826695.tif 000005